(57)【要約】【課題】本発明は、操作キーが載置されたシート部材におけるケースと取付プレートとが積層された部分に対応する位置に所定の凹部を形成することで、筐体における厚みの増加が抑制された携帯電子機器を提供することを目的とする。【解決手段】携帯電話機１は、第１開口１６ａを有するフロントケース２ａと第１開口１６ａから露出面１７が露出された状態でフロントケース２ａに取り付けられる化粧プレート１６とを有する操作部側筐体２と、キーシート４０Ｃとキーシート４０Ｃに載置される決定操作キー部材１５ｂとを有し操作部側筐体２の内部に配置されるキー構造体４０と、を備える。化粧プレート１６は、該化粧プレート１６における外縁部がフロントケース２ａの内面に結合され、キーシート４０Ｃは、化粧プレート１６における外縁部に対応した位置に操作部側筐体２内部側に窪む凹部４５ａを有する。【選択図】図４
2009135714.tif 000002
【特許請求の範囲】
【請求項１】
プレート開口部を有するケース本体と前記プレート開口部から所定領域が露出された状態で前記ケース本体に取り付けられるキー開口部が形成された取付プレートとを有する筐体と、
シート部材と前記シート部材における一方の面に載置される操作キーとを有すると共に前記操作キーが前記キー開口部から外部に露出された状態で前記筐体の内部に配置される操作部材と、を備え、
前記取付プレートは、外縁部が前記ケース本体の内面に結合され、
前記シート部材は、前記取付プレートにおける前記外縁部に対応した位置に筐体内部側に窪む凹部を有することを特徴とする携帯電子機器。
【請求項２】
前記シート部材は、前記凹部における前記操作キー側と反対側の端部に肉厚部を有する
請求項１に記載の携帯電子機器。
【請求項３】
前記シート部材は、前記肉厚部の端部であって前記ケース本体における前記プレート開口部が形成された側の内面に対向する端部が前記内面に当接された状態で前記筐体の内部に配置される請求項２に記載の携帯電子機器。
【請求項４】
前記肉厚部は、前記シート部材における一方の面から前記ケース本体における前記プレート開口部が形成された側の内面に向かって突出するように形成される請求項２又は３に記載の携帯電子機器。
【請求項５】
前記取付プレートは、前記外縁部が前記筐体の内部側に窪んだ屈曲形状を有して形成され、
前記凹部は、前記取付プレートの屈曲形状に沿った屈曲部を有して構成される請求項１から４のいずれか１項に記載の携帯電子機器。
【請求項６】
前記操作部材の前記シート部材における他方の面側に積層配置され前記操作キーに対応した位置に該操作キー側に突出する所定高さのスイッチが配設された回路基板を有し、
前記シート部材には、該シート部材における他方の面に前記スイッチに向かって突出する所定高さの突起部が形成され、
前記凹部は、該凹部における窪みの深さが前記スイッチと前記突起部との高さの和に応じた深さになるよう形成される請求項１から５のいずれか１項に記載の携帯電子機器。
【請求項７】
前記取付プレートにおける前記所定領域と前記シート部材との間には、補強板部材が配置される請求項１から６のいずれか１項に記載の携帯電子機器。
【請求項８】
前記操作部材の前記シート部材における他方の面側に積層配置され前記操作キーに対応した位置に該操作キー側に突出する所定高さのスイッチが配設された回路基板を有し、
前記肉厚部は、前記取付プレートと、前記ケース本体と、前記回路基板とに囲まれる位置に配置される請求項２から４のいずれか１項に記載の携帯電子機器。
【発明の詳細な説明】
【技術分野】
【０００１】
本発明は、携帯電話機等の携帯電子機器に関する。
【背景技術】
【０００２】
従来、携帯電子機器としての携帯電話機には、複数の操作キーが配置されている。この複数の操作キーが配置された携帯電話機において、薄型化や組み立て性の向上という視点から、操作キーをラバーシートに載置してキー操作群を構成し、ラバーシート上の操作キーをケースに形成された開口部から露出させて配置する構成を有する携帯電話機が提案されている（例えば、特許文献１参照）。
【０００３】
また、近年、操作キーが露出される開口部が形成されたケースに化粧プレート等の別部材を取り付けた携帯電話機が提案されている。しかし、化粧プレートをケースの外側から取り付けた場合には、取り付け後に化粧プレートが浮くという問題や、防水構造がとりにくいという問題や、筐体が厚くなるという問題があった。これに対し、化粧プレートをケースの内側から取り付ける構造を有する携帯電話機が提案されている。
【特許文献１】特開２００５−３４０８９１号公報
【発明の開示】
【発明が解決しようとする課題】
【０００４】
しかし、化粧プレートをケースの内部から取り付けた場合においても、化粧プレートの浮きや防水構造については解決されるが、筐体が厚くなるという問題は解決されていなかった。具体的には、ケースと、化粧プレートと、操作キーが載置されたラバーシートとが筐体における厚さ方向に積層配置されるので、筐体がその分だけ厚くなるという問題があった。
【０００５】
本発明は、操作キーが載置されたシート部材におけるケースと取付プレートとが積層された部分に対応する位置に所定の凹部を形成することで、筐体における厚みの増加が抑制された携帯電子機器を提供することを目的とする。
【課題を解決するための手段】
【０００６】
本発明は、プレート開口部を有するケース本体と前記プレート開口部から所定領域が露出された状態で前記ケース本体に取り付けられるキー開口部が形成された取付プレートとを有する筐体と、シート部材と前記シート部材における一方の面に載置される操作キーとを有すると共に前記操作キーが前記キー開口部から外部に露出された状態で前記筐体の内部に配置される操作部材と、を備え、前記取付プレートは、外縁部が前記ケース本体の内面に結合され、前記シート部材は、前記取付プレートにおける前記外縁部に対応した位置に筐体内部側に窪む凹部を有することを特徴とする携帯電子機器に関する。
【０００７】
また、前記シート部材は、前記凹部における前記操作キー側と反対側の端部に肉厚部を有することが好ましい。
【０００８】
また、前記シート部材は、前記肉厚部の端部であって前記ケース本体における前記プレート開口部が形成された側の内面に対向する端部が前記内面に当接された状態で前記筐体の内部に配置されることが好ましい。
【０００９】
また、前記肉厚部は、前記シート部材における一方の面から前記ケース本体における前記プレート開口部が形成された側の内面に向かって突出するように形成されることが好ましい。
【００１０】
また、前記取付プレートは、前記外縁部が前記筐体の内部側に窪んだ屈曲形状を有してに形成され、前記凹部は、前記取付プレートの屈曲形状に沿った屈曲部を有して構成されることが好ましい。
【００１１】
また、前記操作部材の前記シート部材における他方の面側に積層配置され前記操作キーに対応した位置に該操作キー側に突出する所定高さのスイッチが配設された回路基板を有し、前記シート部材には、該シート部材における他方の面に前記スイッチに向かって突出する所定高さの突起部が形成され、前記凹部は、該凹部における窪みの深さが前記スイッチと前記突起部との高さの和に応じた深さになるよう形成されることが好ましい。
【００１２】
また、前記取付プレートにおける前記所定領域と前記シート部材との間には、補強板部材が配置されることが好ましい。
【００１３】
また、前記操作部材の前記シート部材における他方の面側に積層配置され前記操作キーに対応した位置に該操作キー側に突出する所定高さのスイッチが配設された回路基板を有し、前記肉厚部は、前記取付プレートと、前記ケース本体と、前記回路基板とに囲まれる位置に配置されることが好ましい。
【発明の効果】
【００１４】
本発明によれば、操作キーが載置されたシート部材におけるケースと取付プレートとが積層された部分に対応する位置に所定の凹部を形成することで、筐体における厚みの増加が抑制された携帯電子機器を提供することができる。
【発明を実施するための最良の形態】
【００１５】
以下、図面を参照して本発明を実施するための最良の形態を説明する。
図１により、携帯電子機器としての携帯電話機１における基本構造を説明する。図１は、携帯電話機１を開いた状態における外観斜視図を示す。
【００１６】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１７】
操作部側筐体２は、外面がフロントケース２ａとリアケース２ｂとにより構成される。操作部側筐体２は、フロントケース２ａ側に、操作キー群１１と、携帯電話機１の使用者が通話時に発した音声が入力されるマイクとしての音声入力部１２とがそれぞれ露出するように構成される。
【００１８】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００１９】
音声入力部１２は、操作部側筐体２の長手方向における連結部４側と反対の外端部側に配置される。つまり、音声入力部１２は、携帯電話機１が開状態において一方の外端部側に配置される。
【００２０】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２１】
表示部側筐体３は、外面がフロントパネル３ａと、フロントケース３ｂと、リアケース３ｃと、リアパネル３ｄとにより構成される。表示部側筐体３におけるフロントケース３ｂには、各種情報を表示するための表示部２１と、通話の相手側の音声を出力するレシーバとしての音声出力部２２と、が露出するように配置される。ここで、表示部２１は、液晶パネルと、この液晶パネルを駆動する駆動回路と、この液晶パネルの背面側から光を照射するバックライト等の光源部とから構成される。
【００２２】
次いで、図２から図７により、操作部側筐体２及び表示部側筐体３の内部構造について説明する。
図２は、操作部側筐体２に内蔵される部材の分解斜視図である。図３は、表示部側筐体３に内蔵される部材の分解斜視図である。図４は、フロントケース２ａと取付プレートとしての化粧プレート１６とが重なる位置に凹部４５ａが形成された状態を説明する図１におけるＡ―Ａ断面図である。図５は、フロントケース２ａの内面を説明する部分拡大図である。図６は、図５におけるフロントケース２ａの内面から化粧プレート１６が取り付けられた状態を説明する図である。図７は、図６における化粧プレート１６の内面側からキー構造体４０を取り付けた状態を説明する図である。
【００２３】
図２に示すように、操作部側筐体２は、フロントケース２ａと、キー構造体４０と、第２回路基板としてのキー基板５０と、ケース部材としてのケース体６０と、基準電位パターン層７５及び携帯電話機用のＲＦ（Ｒａｄｉｏ  Ｆｒｅｑｕｅｎｃｙ）モジュール等の各種電子部品を備える第１回路基板としての回路基板７０と、バッテリリッド２ｃを備えたリアケース２ｂと、バッテリ８０とを備える。
【００２４】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造体４０と、キー基板５０と、ケース体６０と、回路基板７０とが挟まれるようにして内蔵される。
【００２５】
フロントケース（ケース本体）２ａには、携帯電話機１を折り畳んだ状態で表示部側筐体３の表示部２１と対向する内側面に、第１開口（プレート開口部）１６ａが形成される。また、フロントケース２ａの内面には、第１開口１６ａの外周に沿うようにして被結合部１１８ａ〜１１８ｃが形成される。被結合部１１８ａ〜１１８ｃそれぞれは、フロントケース２ａにおける内面が窪むようにして形成される。本実施形態において、被結合部１１８ａ〜１１８ｃそれぞれは、フロントケース２ａにおける厚さが薄くなるようにして形成される。また、被結合部１１８ａ〜１１８ｃそれぞれは、化粧プレート１６がフロントケース２ａに取り付けられた状態における結合部１８ａ〜１８ｃそれぞれの外縁よりもひとまわり大きく形成される。
【００２６】
フロントケース２ａには、後述する化粧プレート１６が取り付けられる。フロントケース２ａには、第１開口１６ａから所定領域である後述する露出面１７が露出するように化粧プレート１６が取り付けられる。
【００２７】
第１開口１６ａに化粧プレート１６が取り付けられた状態において、図６に示すように、キー開口部としてのキー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述する椀状形状のメタルドームにおける頂点が押圧され、スイッチ端子に接触して電気的に導通する。
【００２８】
化粧プレート１６は、露出面１７と、結合部１８ａ〜１８ｃと、キー孔１５ａと、凹状部１６ｂ、１６ｂとを有する。化粧プレート１６は、フロントケース２ａにおける第１開口１６ａに、露出面１７が外部に露出するようにして取り付けられる。化粧プレート１６は、該フロントケース２ａの内面側から取り付けられる。化粧プレート１６は、露出面１７の外周縁に形成され該露出面１７から段差を有して形成される結合部１８ａ〜１８ｃがフロントケース２ａの内面に結合されることで取り付けられる。化粧プレート１６における露出面１７を有する部分と、結合部１８ａ〜１８ｃとをつなぐように形成される部分は、操作部側筐体２の内部側に窪んだ屈曲形状部１９ａから１９ｃを有する。
【００２９】
露出面１７は、フロントケース２ａとは色や質感が異なるように形成された部材である。上述のように、露出面１７は、化粧プレート１６が取り付けられた状態で外面に露出する部分である。
【００３０】
露出面１７における中央には、キー孔（キー開口部）１５ａが形成される。キー孔１５ａには、化粧プレート１６がフロントケース２ａに取り付けられた状態で、決定操作キー部材１５ｂが外部に露出するよう挿入される。
【００３１】
露出面１７における両側（携帯電話機１における幅方向外側）には、幅方向内側に窪む凹状部１６ｂ、１６ｂが形成される。凹状部１６ｂ、１６ｂは、化粧プレート１６が取り付けられた状態でキー孔１３、１３の一部を構成する。具体的には、露出面１７が第１開口１６ａを介して外部に露出するようフロントケース２ａに取り付けられた状態で、凹状部１６ｂ、１６ｂ及び第１開口１６ａの外周部によりキー孔１３、１３が形成される。また、化粧プレート１６がフロントケース２ａに取り付けられた状態で、化粧プレート１６における連結部４と反対側の外縁部と第１開口１６ａの外周縁とによりキー孔１４が形成される。
【００３２】
結合部１８ａ〜１８ｃは、露出面１７の外縁部に連続して形成される。結合部１８ａ〜１８ｃは、露出面１７の外縁部に連続して形成されると共に、露出面１７とは反対側（操作部側筐体２における内部側）に向かって低くなる段差を有して形成される。
【００３３】
結合部１８ａは、化粧プレート１６における連結部４側に配置される側の外縁に沿って形成される。結合部１８ａは、化粧プレートにおける連結部４側の外縁全体に沿うように形成される。結合部１８ａは、フロントケース２ａにおける内面に第１開口１６ａの外周に沿う位置に形成される被結合部１１８ａに当接して結合される。結合部１８ａは、不図示の融着ボスにより被結合部１１８ａに固定される。
【００３４】
結合部１８ｂ、１８ｃは、化粧プレート１６における結合部１８ａが形成された外縁と交差する外縁である側縁に形成される。結合部１８ｂ、１８ｃそれぞれは、フロントケース２ａにおける内面に第１開口１６ａの外周に沿う位置に形成される被結合部１１８ｂ、１１８ｃに当接して結合される。結合部１８ａは、フロントケース２ａの内面における第１開口１６ａの連結部４側の辺全てに沿って配置されるが、結合部１８ｂ、１８ｃは、第１開口１６ａにおける側方の辺の一部に沿って配置される。
【００３５】
結合部１８ａ〜１８ｃがフロントケース２ａにおける内面に形成される被結合部１１８ａ〜１１８ｃに結合されることで、化粧プレート１６は露出面１７が外面に露出された状態でフロントケース２ａに結合される。
【００３６】
この状態において、図６に示すように、結合部１８ａ〜１８ｃそれぞれと被結合部１１８ａ〜１１８ｃそれぞれとにより溝部１１９〜１１９ｃが形成される。溝部１１９ａ〜１１９ｃそれぞれは、結合部１８ａ〜１８ｃそれぞれにおける外縁の外側に形成されると共に、結合部１８ａ〜１８ｃそれぞれにおける外縁に沿って形成される。溝部１１９ａ〜１１９ｃには、後述するキーシート４０Ｃの外周縁に形成される肉厚部４３が嵌合するようにして配置される。
【００３７】
操作部材としてのキー構造体４０は、操作部材４０Ａと、補強板部材としてのキーフレーム４０Ｂと、シート部材としてのキーシート４０Ｃと、により構成される。
【００３８】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、化粧プレート１６が取り付けられた状態で形成されるキー孔１３ａ、１４ａ、１５ａそれぞれから外部に露出して配置される。
【００３９】
キーフレーム４０Ｂは、孔部１３ｃと、複数の孔部１４ｃと、孔部１５ｃとが形成された金属性の板状部材である。キーフレーム４０Ｂは、機能設定操作キー部材１３ｂと、入力操作キー部材１４ｂと、決定操作キー部材１５ｂの押圧による回路基板７０等への悪影響を防ぐための補強部材である。また、キーフレーム４０Ｂは導電性の部材であり、入力操作キー部材１４ｂにおける静電気を逃がすための部材としても機能する。
【００４０】
また、キーフレーム４０Ｂにおける孔部１３ｃ及び孔部１５ｃ近傍の領域は、化粧プレート１６における露出面１７に対応する位置と、キーシート４０Ｃとの間に配置される。このキーフレーム４０Ｂにおける露出面１７とキーシート４０Ｃとの間に配置された部分は、化粧プレート１６が外れないための補強部材として機能する。また、キーフレーム４０Ｃは、化粧プレート１６が取り付けられた領域における剛性を向上させることができる。
【００４１】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。また、複数の凸１４ｄが形成された面と反対側の面には、キースイッチ５２に対応する位置に押子４６が形成される。また、キーシート４０Ｃにおけるキースイッチ５１、５３に対応する位置にも押子４６がそれぞれ形成される。
【００４２】
キーシート４０Ｃは、肉薄部４１と、肉薄部４１の外周縁に形成される肉厚部４３とを有する。肉薄部４１は、キーシート４０Ｃにおける中央領域に形成される。肉薄部４１には、上述した凸部１４ｄが形成される。
【００４３】
肉厚部４３は、肉薄部４１の外周縁に形成される。肉厚部４３は、肉薄部４１よりも厚さが厚い部分である。肉厚部４３は、厚さ方向における複数の凸部１４ｄが突出する方向と同じ方向に突出して形成される。肉厚部４３における突出した部分である突起部４３ａは、図４に示すように、溝部１１９ａに嵌合するようにして配置される。ここで、肉厚部４３は、キーシート４０Ｃを製造する際やキーシート４０Ｃの強度面から必要な部分である。本実施形態においては、このキーシート４０Ｃに必要な肉厚部４３の形状や組立時における配置を工夫している。
【００４４】
図４に示すように、組み立てられた状態において、キーシート４０Ｃは、化粧プレート１６の外縁に形成される結合部１８ａに対応した位置に操作部側筐体２における内部側に窪む凹部４５ａを有する。凹部４５ａは、化粧プレート１６における屈曲形状部１９ａ及び結合部１８ａの形状に沿って形成される。言い換えると、凹部４５ａは、該凹部４５ａにおける凹状に窪んだ部分が化粧プレート１６における結合部１８ａ及び屈曲形状部１９ａを囲むように位置して形成される。更には、凹部４５ａは、フロントケース２ａと化粧プレート１６とが積層された部分に対応して形成される。
【００４５】
凹部４５ａは、化粧プレート１６における屈曲形状部１９ａの形状に沿って屈曲する屈曲部１４５ａを有する。屈曲部１４５ａは、キーシート４０Ｃにおける肉薄部４１がキーフレーム４０Ｂの一部と屈曲形状部１９ａにより屈曲するように変形された部分である。この屈曲部１４５ａと、肉厚部４３における突起部４３ａと、屈曲部１４５ａと肉厚部４３とをつなぐ肉薄部４１とにより凹部４５ａが形成される。
【００４６】
凹部４５ａにおける操作キーとしての決定操作キー部材１５ｂ側と反対側に端部には、肉厚部４３が配置される。肉厚部４３は、該肉厚部４３における突起部４３ａが化粧プレート１６における結合部１８ａとフロントケース２ａにおける被結合部１１８ａとにより形成された溝部１１９ａに嵌合するようにして配置される。
【００４７】
肉厚部４３における突起部４３ａは、肉薄部４１における一面側からフロントケース２ａの内面側に向かって突出するように形成される。フロントケース２ａの内面側に向かって突出した肉厚部４３における突起部４３ａは、該肉厚部４３の操作部側筐体２における厚さ方向の端部であって第１開口１６ａが形成された側の内面に対向する端部が該内面に当接した状態で配置される。
【００４８】
また、肉厚部４３は、後述するキー基板５０と、化粧プレート１６と、フロントケース２ａとにより囲まれるようにして配置される。
【００４９】
凹部４５ａにおける窪みの深さは、キーシート４０Ｃにおける押子４６の高さと、キー基板５０に配置されるキースイッチ５３の高さとの和に応じた深さになるように形成される。
【００５０】
また、キーシート４０Ｃは、化粧プレート１６の外縁に形成される結合部１８ｂ、１８ｃに対応した位置に操作部側筐体２における内部側に窪む凹部４５ｂ、４５ｃを有する。この凹部４５ｂ、４５ｃにおける形状等は、凹形状の長さと形成される位置を除き凹部４５ａと同様である。
【００５１】
スイッチが配設された回路基板としてのキー基板５０は、キーシート４０Ｃ側に配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、所定高さを有すると共に椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。なお、キー基板５０は、複数の絶縁層（絶縁フィルム）の間に配線を挟み込んだものである。
【００５２】
キー基板５０がケース体６０における平板部６１に載置されるので、操作部材４０Ａそれぞれが押圧されることによる圧力や撓みは、ケース体６０の下方に配置される回路基板７０に伝達されにくい。
【００５３】
ケース体６０は、薄型の直方体における一の広い面が開口した形状を有する導電性の部材である。ケース体６０は、平板部６１における開口側の面に略垂直に形成されるリブ６２を有する。リブ６２は、回路基板７０に実装される各種電子部品のうち最も高さのある電子部品の高さと同等又はそれよりも十分に高くなるよう形成される。リブ６２は、平板部６１の周縁及び内側に基準電位部を構成する基準電位パターン層７５に対応するように形成される。具体的には、ケース体６０が回路基板７０に載置された状態で、基準電位パターン層７５上に配置されるようにリブ６２が形成される。なお、ケース体６０は、金属により形成するほか、骨格を樹脂により形成し、その表面に導体膜を形成したものでもよい。
【００５４】
ケース体６０は、リブの底面が基準電位パターン層７５に当接されることで、該基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。ケース体６０は、シールドケースとして外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナ１０８に接続される受信回路等に作用することを抑制する。具体的には、ケース体６０におけるリブ６２の底面が基準電位パターン層７５上に配置されることで、後述する各回路はリブ６２により囲われると共に平板部６１の一部により覆われる。リブ６２は、各回路における隔壁として機能し、平板部６１の一部と共に各回路をシールドする。
【００５５】
回路基板７０には、アンテナ１０８が送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００５６】
回路基板７０におけるケース体６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、回路基板７０の第１面７０ａの表面に導電性の部材を所定パターンで印刷することで形成される。
【００５７】
リアケース２ｂの一端側（図２において）には、取り外し可能なバッテリリッド２ｃが設けられており、バッテリ８０をリアケース２ｂの外側から収納した後、リアケース２ｂに装着される。また、リアケース２ｂにおける一端側には、ユーザの音声を入力する不図示の音声入力部１２（特にマイク）が収容される。
【００５８】
図３に示すように、表示部側筐体３は、フロントパネル３ａと、音声出力部２２と、フロントケース３ｂと、音声出力部２２と、表示部２１と、表示部２１が接続されたプリント基板８５と、リアケース３ｃと、リアパネル３ｄと、を備える。
【００５９】
表示部側筐体３は、フロントパネル３ａと、フロントケース３ｂと、表示部２１と、プリント基板８５と、リアケース３ｃと、リアパネル３ｄとがそれぞれが積層的に配置される。具体的には、フロントケース３ｂとリアケース３ｃとは、互いの凹状の内側面が向き合うように配置され、互いの外周縁が重なり合うようにして結合される。
【００６０】
そして、フロントケース３ｂとリアケース３ｃとの間には、表示部２１が接続されたプリント基板８５が挟まれるようにして内蔵される。プリント基板８５には、不図示のアンプと接続されるスピーカが接続される。
【００６１】
続けて、図５から図７により、フロントケース２ａに化粧プレート１６とキーシート４０Ｃとを取り付ける手順を説明する。
【００６２】
図５に示すように、フロントケース２ａの内面における第１開口１６ａの周縁には、厚さ方向における外方に向かって窪むように形成される被結合部１１８ａ〜１１８ｃが形成される。化粧プレート１６は、図５に示すフロントケース２ａにおける内面側から取り付けられる。
【００６３】
具体的には、図６に示すように、露出面１７を第１開口１６ａに挿入すると共に、結合部１８ａ〜１８ｃそれぞれが被結合部１１８ａ〜１１８ｃそれぞれに当接するようにして化粧プレート１６をフロントケース２ａに取り付ける。これにより、露出面１７が第１開口１６ａを介して外部に露出した状態で化粧プレート１６がフロントケース２ａに取り付けられる。化粧プレート１６がフロントケース２ａに取り付けられた状態において、結合部１８ａ〜１８ｃそれぞれの外縁に沿って、溝部１１９〜１９ｃそれぞれが形成される。
【００６４】
更に、図６に示す化粧プレート１６が取り付けられた状態におけるフロントケース２ａにキーシート４０Ｃを含むキー構造体４０を取り付ける。キーシート４０Ｃにおける外縁部であって結合部１８ａ〜１８ｃそれぞれに対応する分部には、操作部側筐体２の内部側に窪む凹部４５ａ〜４５ｃそれぞれが形成される。キーシート４０Ｃの外縁に形成される肉厚部４３における突起部４３ａは、上述の溝部１１９〜１９ｃに嵌合するようにして配置される。
【００６５】
更に、キー基板５０、ケース体６０、回路基板７０等を組み込んでリアケース２ｂを組み合わせることで、携帯電話機１における操作部側筐体２が組み立てられる。この状態における結合部１８ａ（１８ｂ、１８ｃ）の断面の構造は、図４に示す通りである。
【００６６】
本実施形態によれば、キーシート４０Ｃにおけるフロントケース２ａと化粧プレート１６とが積層された部分に対応する位置に凹部４５ａ〜４５ｃが形成されるので、操作部側筐体２における厚みの増加を抑制することができる。
【００６７】
また、本実施形態によれば、キーシート４０Ｃの一部によりフロントケース２ａと化粧プレート１６とが積層された部分を囲むよう凹部４５ａ〜４５ｃが形成されるので、防水性を確保することができる。また、突起部４３ａにおけるフロントケース２ａ側の端部をフロントケース２ａの内面に当接した状態で配置することで、防水性を更に向上させることができる。
【００６８】
また、本実施形態によれば、化粧プレート１６をフロントケース２ａの内面側から取り付けているので、化粧プレート１６の浮きを抑制できる。
【００６９】
また、本実施形態によれば、化粧プレート１６における露出面１７を有する部分とキーシート４０Ｃとの間に補強部材としてのキーフレーム４０Ｂが配置されるので、外部から加えられる力による化粧プレート１６の脱離を抑制できる。また、化粧プレート１６が取り付けられた領域における剛性を向上させることができる。
【００７０】
以上、好適な実施形態について説明したが、本発明は上述した実施形態に限定されることなく種々の形態で実施することができる。例えば、本実施形態において、携帯電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００７１】
また、本実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。
【００７２】
また、本実施形態においては、化粧プレート１６の外縁に形成される凹部として凹部４５ａから凹部４５ｃが形成されるが、これに限定されない。化粧プレート１６の形状や該化粧プレート１６におけるフロントケース２ａに結合される部分の位置や範囲により、本実施形態における凹部とは異なる個数、位置、大きさや形状してもよい。
【００７３】
また、本実施形態においては、化粧プレート１６やキーシート４０Ｃは操作部側筐体２側に配置されるが、これに限定されず、表示部側筐体３側に配置されていてもよい。この場合、表示部側筐体３は、上述した操作部側筐体２における作用効果と同様の作用効果を得ることができる。
【図面の簡単な説明】
【００７４】
【図１】携帯電話機１を開いた状態における外観斜視図を示す。
【図２】操作部側筐体２に内蔵される部材の分解斜視図である。
【図３】表示部側筐体３に内蔵される部材の分解斜視図である。
【図４】フロントケース２ａと化粧プレート１６とが重なる位置に凹部４５ａが形成された状態を説明する図１におけるＡ―Ａ断面図である。
【図５】フロントケース２ａの内面を説明する部分拡大図である。
【図６】図５におけるフロントケース２ａの内面から化粧プレート１６が取り付けられた状態を説明する図である。
【図７】図６における化粧プレート１６の内面側からキー構造体４０を取り付けた状態を説明する図である。
【符号の説明】
【００７５】
１          携帯電話機
２          操作部側筐体
３          表示部側筐体
１５ａ      キー孔
１６        化粧プレート
１６ａ      第１開口
１８ａ      結合部
１９ａ      屈曲形状部
４０        キー構造体
４０Ｂ      キーフレーム
４０Ｃ      キーシート
４１        肉薄部
４３        肉厚部
４３ａ      突起部
４５ａ      凹部
５０        キー基板
６０        ケース体
６２ａ      切り欠き部
７５        基準電位パターン層
７０        回路基板
１１８ａ    被結合部
１１９ａ    溝部
１４５      屈曲部
【図１】
2009135714.tif 000003
【図２】
2009135714.tif 000004
【図３】
2009135714.tif 000005
【図４】
2009135714.tif 000006
【図５】
2009135714.tif 000007
【図６】
2009135714.tif 000008
【図７】
2009135714.tif 000009